(57)【特許請求の範囲】
【請求項１】
棟部の野地板間の換気隙間に小屋裏側から挿入して設置する棟部ダクト用換気部材であって、
横断面横長形状の排気口と縦断面下方開放形で下部にダクト接合口を有した幅広底面を有した胴部を含み、
該胴部は、底面から上部に向かって急激な換気面積変化がないように、なだらかな変化をとるように徐々に絞った形としたことを特徴とする棟部ダクト用換気部材。
【請求項２】
棟部の野地板間の換気隙間に小屋裏側から挿入して設置する棟部ダクト用換気部材であって、
横断面横長形状の排気口を上部に、ダクト接合口を下部に有し、両者間をなだらかな勾配の側面で形成して急激な面積変化を生じない形状としたことを特徴とする上下開口の棟部ダクト用換気部材。
【請求項３】
該棟部ダクト用換気部材の排気口横断面積がダクト接合口横断面積以上であることを特徴とする請求項１又は請求項２記載の棟部ダクト用換気部材。
【発明の詳細な説明】
【０００１】
【発明の属する技術分野】
本発明は、低層住宅における屋内空気換気の方法として棟を利用する棟部換気のための棟部ダクト用換気部材に関するものである。特に各部屋内の空気を天井に設けたダクトで棟に集め、棟より排気するための屋根裏に設置する棟部ダクト用換気部材に関するものである。
【０００２】
【従来の技術】
従来の住宅における屋根部よりの換気システムには、煙突方式か棟換気方式が用いられていた。煙突方式は給気経路に給気口又はサッシガラリ等の建物隙間を利用し、ダクトを換気経路として煙突へ連結することにより屋内の汚染空気を排出する換気システムである。又棟換気方式は、屋内の汚染空気を隙間を設けた野地板から屋外に排出するもので、各部屋から集められた空気をダクトで小屋裏に一旦開放し、棟より排出するものや、小屋裏に開放せずダクトを棟につなげて直接屋外へ排出する方法が弊社から提案されている。
【０００３】
【発明が解決しようとする課題】
しかし前記、ダクトによる棟部からの排出方式では屋根の野地板間の隙間には、図７（ａ）で示すように、２本の母屋（８）が張り出しており、径の大きいダクトを接続し屋内空気を直接抜くことができなかった。そして、通常一般住宅では、図７（ｃ）に示すようにダクトを介して外壁（１５）で給排気する構造となっているが、この場合は屋外フード（１６）から侵入した雨水を、ダクト内に入りにくくするために水勾配（１４）が取られている。棟方向に対しては、図７（ｂ）に示すように、このような水勾配を取ることができない。
【０００４】
本発明は、このような従来の問題点に着目したもので、屋内空気を上層階天井からダクトで棟に接続し、屋外へ排気するためのダクト用換気部材を提供するものであり、特に換気流通過時に大きな圧力損失が生じないよう形状に工夫を凝らしたものである。
【０００５】
【課題を解決するための手段】
前記の目的を達成するために、本発明に係る棟部ダクト用換気部材は、棟部の野地板間の換気隙間に小屋裏側から挿入して設置する棟部ダクト用換気部材であって、横断面横長形状の排気口と縦断面下方開放形で下部にダクト接合口を有した幅広底面を有した胴部を含み、該胴部は、底面から上部に向かって急激な換気面積変化がないように、なだらかな変化をとるように徐々に絞った形としている。又、本発明に係る棟部ダクト用換気部材は、棟部の野地板間の換気隙間に小屋裏側から挿入して設置する棟部ダクト用換気部材であって、横断面横長形状の排気口を上部に、ダクト接合口を下部に有し、両者間をなだらかな勾配の側面で形成して急激な面積変化を生じない形状としている。さらに、本発明に係る棟部ダクト用換気部材は、該棟部ダクト用換気部材の排気口横断面積がダクト接合口横断面積以上であることを要旨とする。
【０００６】
【発明の実施の形態】
本発明に係る棟部ダクト用換気部材は図３に示すように、棟部の野地板間の換気隙間（７）に直接排気筒部を挿入して、設置しても良いし、図４に示すように住宅屋根葺部材に合わせて設置される弊社の排気筒付棟部防水部材（９）に嵌合させる方法をとっても良い。後者のようにすると、排気筒付棟部防水部材の排気筒の長さをあらゆる屋根葺部材に合わせて、棟部ダクト用換気部材を挿入しやすい位置まで変えることにより、棟部ダクト用換気部材は同一形状のままで、あらゆる屋根葺部材に対応可能となる。
又、本発明に係る棟部ダクト用換気部材は、換気流通過時に大きな圧力損失が生じないようにするため、排気口横断面積が排気ダクト接合口横断面積以上であることを要旨とする。
又、防水上の対策として、図２に示すように、棟部ダクト用換気部材の底面上のダクト接合口接続部周囲に水密材（６）を貼付している。
【０００７】
本発明の棟部ダクト用換気部材の素材は防水・耐水性があり軽量で耐久性のあるものであればどのような素材でも良い。又先端の排気口の形状は棟部の野地板間や排気筒に挿貫させるため、野地板間に挿貫可能なような横長形状であることが必要となる。又下端は各部屋からの排気ダクトを外嵌接合する関係上ダクト径にあわせダクト径よりやや小さめの直径とする必要がある。上記排気口とダクト接合口間の形状変化を急激に行わず、徐々に行うことが本発明のポイントである。
図１に示す排気筒開口部幅Ｌは３０ｍｍから５０ｍｍ程度が好ましい。棟部の野地板の換気隙間幅に挿嵌できる程度であることが必要である。
一般の屋根葺材としては、焼成瓦・ゆう薬瓦等の和瓦、洋瓦またはセメント瓦、石綿もしくはその他の繊維で補強された材料の平板または波形屋根材、金属屋根材、有機系のシングル屋根材、天然スレート等の石材の屋根材等があり、本願はこれらのあらゆる屋根葺材が使用できる。
【０００８】
【実施例】
〔実施例１〕  以下に、本発明の棟部ダクト用換気部材の第１の実施例について図１〜図５に基づいて説明する。
図１は請求項１に対応する本発明の実施例１による棟部ダクト用換気部材の全体斜視図、図２は棟部ダクト用換気部材の胴部一部断面説明図、図３は住宅棟部に設置する場合の説明図、図４は住宅棟部に出願人の発明にかかる排気筒付棟部防水部材を設置し、該部材に嵌合状態で、本発明の棟部ダクト用換気部材を設置する場合の説明図である。
【０００９】
図１図２において（１）は本発明の実施例１による棟部ダクト用換気部材、（２）は排気筒部、（２ａ）は排気口横断面積、（２ｂ）は排気口、（３）は胴部、（４）は底面、（５）はダクト接合口、（５ａ）はダクト接合口横断面積、（６）は水密材、図３において（７）は棟部換気隙間、（８）は母屋、図４において（９）は排気筒付棟部防水部材である。
【００１０】
本実施例は、図１に示すように棟部換気隙間に設置可能なように、排気口（２ｂ）の形状を幅５０ｍｍ、長さ約１ｍ程度の横長形状としている。又、各部屋よりの空気を排気するためのダクトは径が約２０ｃｍ程度あるため、棟部ダクト用換気部材（１）の下部に、円形で、２０ｃｍよりわずかに小さい径のダクト接合口（５）を設けている。そして、該ダクトを通って棟部ダクト用換気部材内に入った空気の換気面積が変わることによる圧力損失の増加を抑えるために、ダクトを通って棟部ダクト用換気部材内に入った空気をまず（４）の底面が示すように一旦横広がりに開放し、次に底面から上部に向かって急激な換気面積変化がないように、なだらかな変化をとるように徐々に絞った形の胴部（３）とした。最終的に排気口横断面積（２ａ）がダクト接合口横断面積（５ａ）以上になるようにした。
【００１１】
又、図２に示すように棟部隙間から侵入した雨水が、ダクトに侵入しないようにダクト接合口上端内部周囲にＥＰＴゴム等の水密材（６）を貼付して、雨水の侵入を防止している。
このような、棟部ダクト用換気部材は、図３に示すように棟の野地板を切り欠いて設けられた換気隙間（７）へ排気筒部（２）を直接挿入し、棟部ダクト用換気部材の取付金具（１ａ）で母屋に固定することができる。
【００１２】
各部屋よりの排気用ダクトを下部のダクト接合口（５）に接続すると、屋内空気はダクトを通って棟部ダクト用換気部材に入り、排気口から屋根の棟部を通過し、屋外に排出される。したがって、屋内の汚れた空気は、小屋裏に開放されることがなく、小屋裏への湿気流入を防止し、建物の耐久性を高める。又、ダクトを通って棟部ダクト用換気部材に入った空気は、広い底面に開放されるため、ダクト内に滞ることなく、棟部ダクト用換気部材に排出され、さらにゆるやかな形状変化で排気筒部へと進み最終的に排気時と同面積以上の換気面積を有する排気口から排出されるため、圧力損失が最小限で済み、排気効率が衰えることが無く好ましい。Φ２００ｍｍダクトの重量は５〜８ｋｇであるが、本発明の形状であれば、このようなダクトを接続しても棟部ダクト用換気部材の強度が確保され、接合口及び本体ともに問題なく、強風時、風切り音も発生しなかった。
又ダクト接合口の上部周囲に設けた水密材（６）の働きで、排気口より侵入した少量の雨水のダクト内への侵入を防止できた。
【００１３】
さらに図４に示すように排気筒付棟部防水部材（９）を棟部の換気隙間（７）に使用すれば、下部より本発明の棟部ダクト用換気部材を挿入し、母屋（図示せず）に金具で取付けることで、どのようなタイプの棟部にも適用可能となる。すなわち図５には平瓦屋根葺材の防雪用の排気筒付棟部防水部材（９）及び棟部ダクト用換気部材（１）の使用状態説明図を示しているが、一般に屋根の種類により、野地板下部から排気口先端までの長さＸが異なる。従ってすべての棟部に対応可能とするためには、棟部ダクト用換気部材の排気筒部（２）長さの変更が必要となる。もちろんそのように、排気筒部長さを調節しても良いが、図４に示すように、排気筒付棟部防水部材（９）で該当棟部の形状にあった排気筒を使用すれば、棟部ダクト用換気部材（１）は一定の形状のもので、すべての棟に対応できることとなる。
【００１４】
〔実施例２〕  以下に、本発明の棟部ダクト用換気部材の第２の実施例について図６に基づいて説明する。
図６（ａ）は、本発明の第２の実施例による棟部ダクト用換気部材の全体斜視図、（ｂ）は棟部ダクト用換気部材の簡略側面図、（ｃ）は棟部ダクト用換気部材の簡略正面図である。
【００１５】
図６に示すように、本実施例の棟部ダクト用換気部材は排気口先端部が幅約５０ｍｍ程度の細長形状であり、下部に径１８０ｍｍ程度のダクト接合口（５）を設け両者間をなだらかな曲線で繋いだ形状をしている。このような形状の棟部ダクト用換気部材であっても、ダクトよりの排気が妨げられることなく、上部排気口に導かれるので、換気量が十分確保でき、好ましい。できるだけ、排気口横断換気面積をダクト接合口の横断面換気面積以上にした方が、圧力損失が少なく、換気量を確保できて好ましい。
その他、どのような形状であっても、排気口が細長形状（長方形に限らない）であり、下部にダクト接続が可能で、急激な面積変化を生じない形状であれば本発明の棟部ダクト用換気部材として可能である。
本発明の実施例２による棟部ダクト用換気部材を使用して、換気実験を行った結果、実施例１とほぼ同一の換気量が確保できた（１００〜１８０ｍ３／ｈ）。
【００１６】
又、本実施例においても棟部ダクト用換気部材の底面上のダクト接合口接続部周囲に水密材（６）を設け、排気口より侵入した雨水がダクト内に侵入することを防止することが可能である。
【００１７】
さらに本実施例においても、実施例１と同様に、棟部に直接取付けても良いし（図３）、排気筒付棟部防水部材とセットで取付けても良い（図４）ことはもちろんである。
【００１８】
【発明の効果】
本発明は、上記したように屋内空気をダクトで集め棟の換気隙間から屋外へ開放するための換気部材であり、換気面積変化を極力抑える工夫及び防水措置を施したため、径の太いダクトからの換気流が滞ることなく棟の細長い換気用隙間から排気される。又、換気流はダクトを通るため、小屋裏の空気を汚したり、小屋裏に湿気を撒き散らす恐れがない。排気筒付棟部防水部材との組み合わせあるいは、棟の形状に合わせて排気筒部の長さを調節することで、あらゆる屋根葺材に適用可能である。
又、本願の棟部ダクト用換気部材を用いれば、棟の外観を全く変更することなく、棟からの換気が可能となり、しかも換気量がしっかり確保できる。
【図面の簡単な説明】
【図１】本発明実施例１の棟部ダクト用換気部材の全体斜視図
【図２】本発明実施例１の棟部ダクト用換気部材内部の防水状態を示す一部拡大断面図
【図３】本発明実施例１の棟部ダクト用換気部材の設置方法を説明した説明図
【図４】本発明実施例１の棟部ダクト用換気部材の他の設置方法を説明した説明図
【図５】本発明実施例１の棟部ダクト用換気部材の平瓦防雪用の使用状態断面説明図
【図６】（ａ）本発明実施例２における棟部ダクト用換気部材の全体斜視図
（ｂ）簡略側面図  （ｃ）簡略正面図
【図７】（ａ）従来の棟部の説明図（ｂ）従来の棟部の説明図（ｃ）従来の外壁換気口の説明図
【符号の説明】
１    棟部ダクト用換気部材
２    排気筒部
２ａ  排気口断面積
３    胴部
４    底面
５    ダクト接合口
５ａ  ダクト接合口横断面積
６    水密材
７    棟部換気隙間
８    母屋
９    排気筒付棟部防水部材
１０  曲線形状棟部ダクト用換気部材
１１  野地板
１３  ダクト
１４  水勾配
１５  外壁
１６  屋外フード
【図１】
0003589877.tif 000002
【図２】
0003589877.tif 000003
【図３】
0003589877.tif 000004
【図４】
0003589877.tif 000005
【図５】
0003589877.tif 000006
【図６】
0003589877.tif 000007
【図７】
0003589877.tif 000008